(57)【特許請求の範囲】
【請求項１】
手動による遠隔操作または電動による遠隔操作、もしくはその両方による遠隔操作でレリースワイヤを介して駆動力を伝達して浴槽や洗面器等の槽体に設けた排水栓を開閉するスラストロック機構において、案内筒内面に形成した係止歯に排水溝を連通していることを特徴とするスラストロック機構。
【請求項２】
前記回転リングの被係合歯を、案内筒内面の係止歯、固定リングの係合歯に対して線接触もしくは点接触する形状に形成していることを特徴とする請求項１記載のスラストロック機構。
【請求項３】
前記回転リングの被係合歯に両端を開放した溝を１本または複数本凹設していることを特徴とする請求項１または２記載のスラストロック機構。
【発明の詳細な説明】
【０００１】
【発明の属する技術分野】
本発明は、浴槽や洗面器等の槽体に設けられた排水栓を遠隔操作で開閉するスラストロック機構に関するものである。
【０００２】
【従来技術】
スラストロック機構は、実公平７−２６４６４号公報などで周知なように、上面に係合歯を有する固定リングと下面に被係合歯を有する回転リングとを同軸上に具備した支持軸と、内面に係止歯を形成し且つ前記支持軸を上下動可能に収容した案内筒と、前記支持軸を閉栓方向に付勢する支持軸の戻し弾機とで構成される。
また、閉栓から開栓へのスラストロック機構の動作を以下に詳述する。まず操作部の遠隔操作による押動力がレリースワイヤを介して支持軸に伝達され、次いで、該押動力は前記戻し弾機の付勢力に抗して支持軸を押動することにより固定リングが回転リングを案内筒の内面に形成されている係止歯上方まで押し上げる。その際、回転リングは固定リングの係合歯と回転リングの被係合歯との噛合の関係で正方向に回動し、該押動力が無くなると同戻し弾機の付勢力を受けて支持軸は、回転リングとともに下降を開始する。しかし、下降途中で被係合歯が案内筒内面に形成された係止歯に係止し、開栓状態のままで停止し所望の開栓動作を完了する。
いっぽう開栓から閉栓への動作は以下の通りである。操作部の遠隔操作による押動力がレリースワイヤを介して支持軸を押動し、それとともに固定リングならびに回転リングが押し上げられ、噛合する固定リングの係合歯と回転リングの被係合歯との両歯の関係で、回転リングは更に正方向に微小角度回動する。該押動力が無くなると前記戻し弾機の付勢力を受けて支持軸は回転リングとともに下降を開始する。ここで被係合歯が係止歯における外端の鋸歯部分に係合することで、回転リングは正方向に更に回動し、その鋸歯部分の案内機能で案内溝に案内さけて回転リングが支持軸とともに降下し、閉栓状態へと移行する。
以上のように、該スラストロック機構とは、ロックとアンロックをレリースワイヤによる押動操作の度に交互に繰り返す機構である。
【０００３】
また、このスラストロック機構を使用して排水栓を開閉する排水装置として、操作部の手動操作力をレリースワイヤを介してスラストロック機構に伝達し、そのスラストロック機構で支持されている栓蓋を上下動させて排水部を開閉したり、実公平５−２３６５３号公報や特開２０００−７３４２６号公報に開示するようにソレノイドやモータによる駆動力を、レリースワイヤを介してスラストロック機構に伝達し、それによりスラストロック機構を介して同様に栓蓋を上下動させて排水部を開閉するようにしたものがあり、特開２０００−７３４２６号公報に至っては、電動操作と手動操作との双方が適宜行えるようにして、停電時でも排水部を開閉できる便利さを備えている。
【０００４】
前記スラストロック機構に内蔵される支持軸の戻し弾機は、支持軸を収容して案内する案内筒の天部と、回転リング上面に接近して支持軸外周部分に形成した鍔部とに亘って介在され、回転リングはその鍔部と固定リングとの間にクリアランス（１ｍｍ未満程度）をもって回動可能に支持されている。
そのため、現実には開栓状態から閉栓状態への移行初期段階、あるいは閉栓状態から開栓状態への移行末期段階で、前記回転リングには一時的ではあるが、支持軸戻し弾機の付勢力を受けず且つ固定リングの係合歯との係合関係も成立しない状態、すなわち回転リングが自由に回動可能な状態が存在する。
また、このスラストロック機構では、栓蓋の支持軸が上下動可能に案内筒に収容される関係上、その摺動部から僅かではあるが、排水が進入し、それが案内筒内面の鋸歯状の係止歯上面、回転リングの上面、案内筒の底部、そして係合歯や被係合歯の表面等に水膜を生成することがある。
【０００５】
そのため、開栓状態から閉栓状態への移行初期段階における回転リングが自由な回動可能な状態では、回転リング上面と鍔部との間の水膜による回転リングを持上げて密着させる表面張力現象と、案内筒内面の前記係止歯と回転リングの被係合歯との間の水膜による回転リングを逆回動させる表面張力現象とが生じる。その両表面張力現象によって、自由に回動可能な状態の回転リングの被係合歯は、上昇時に正方向に微小角度回動することなく、係止歯の鋸歯をガイド面に上昇して逆方向に回動し、下降時に案内筒内面に形成された係止歯に再度係止して開栓状態となる、所謂空作動現象が起こることがある。
【０００６】
空作動現象は、開栓・閉栓状態が目視で確認できない台所やダイニングルーム等で排水栓や給水、給湯を集中制御する場合に、特に問題となる。たとえば、排水栓が空作動現象により開栓状態のまま、通電用スイッチの操作に連動する給湯機等からの給水、給湯が行われた場合、家人が気付くまで水が垂れ流しされ、多量の水や給湯機の燃料が無駄になる。また、リモートコントロールで家庭外部から制御する場合に至っては、給湯機の異常加熱等の危惧もあり、危険でもあった。
これを防止するためには、例えば回転リング自体を重量化して自重で空作動しないよう回転リングを回転させる方法が提案される。
しかし、回転リング全体を金属製にしたり、金属製のスリーブを一体的に設けたりすると、コスト的に有利ではなくなり、工夫を要する。
【０００７】
【発明が解決しようとする課題】
本発明は上記従来事情に鑑みてなされたもので、その目的とする処は、前記空作動現象の発生を別部材を使用せずに防止するスラストロック機構を提供することにある。
その詳細は、表面張力現象による回転リングの逆回転が誘発する空作動現象を別部材を使用することなく防止するスラストロック機構を提供することにある。
【０００８】
【課題を解決するための手段】
上記目的を解決するために講じた技術的手段は、手動による遠隔操作または電動による遠隔操作、もしくはその両方による遠隔操作でレリースワイヤを介して駆動力を伝達して浴槽や洗面器等の槽体に設けた排水栓を開閉するスラストロック機構において、案内筒内面に形成した係止歯に排水溝を連通していることを要旨とするものである。
【０００９】
この技術的手段によれば、案内筒内面の係止歯に排水溝を連通させているから、長期的使用で水が案内筒内に進入してもその排水溝の案内作用によって係止歯上に停滞する水の量を少なく抑制する。それ故、開栓状態における回転リングの被係合歯と案内筒内面の係止歯との密着力が弱くなる。そして、開栓状態から閉栓状態への移行初期段階で回転リングに自由な回動可能な状態で生じても回転リングの被係合歯と案内筒内面の係止歯との間にその被係合歯を逆回転方向に持上げる表面張力現象を防止し、ひいては前記空作動現象の発生を確実に防止する。
【００１０】
また、回転リングの被係合歯を、案内筒内面の係止歯、固定リングの係合歯に対して線接触もしくは点接触する形状に形成しているとより有効なものである。この線接触する形状とは、例えば凸曲面形状等であり、また点接触とは、例えば球面形状等に形成することを指す。
【００１１】
この技術的手段によれば、回転リングの被係合歯と案内筒内面の係止歯との密着力がより一層弱くなる。それ故、回転リングの被係合歯と案内筒内面の係止歯との間にその被係合歯を逆回転方向に持上げる表面張力現象が防止される。
【００１２】
また、回転リングの被係合歯に両端を開放した溝を１本または複数本凹設しているとより好適なものとなる。この場合、その溝は、歯長さ方向及び／または歯幅方向のものである。
【００１３】
この技術的手段では、進入する水が排水溝から排除される上、回転リングの被係合歯と案内筒内面の係止歯との密着力が更に弱くなる。それ故、仮に開栓状態から閉栓状態への移行初期段階で回転リングに自由な回動可能な状態で生じても回転リングの被係合歯と案内筒内面の係止歯との間に被係合歯の溝から空気が進入して同被係合歯と係止歯との間の水を排水して表面張力現象の発生を防止する。
【００１６】
【発明の実施の形態】
次に、本発明の実施の形態を図面に基づいて説明する。
図１〜図３は、本発明スラストロック機構を使用した排水装置の第１の実施の形態を、図４（ａ）は、同第２の実施の形態を、図４（ｂ）は、同第３の実施の形態を、更には図５は、第４の実施の形態を、図６は、第５の実施の形態を、そして図７及び図８は第６の実施の形態を各々示している。まず、第１の実施の形態を説明すると、符号Ａは、スラストロック機構１を有する排水部、Ｂは、操作部である。
【００１７】
排水部Ａは、フランジ１０１を有する排水口金具１００を浴槽や洗面器等の槽体２００の底に開設されている排水口２０１に取付け、レリースワイヤＷのガイド筒３００を連絡し、排水口金具１００内に設けられているスラストロック機構１に操作部Ｂからの駆動力をそのレリースワイヤＷを介して伝達して、栓蓋２の開閉を交互に行なうようになっている。
【００１８】
このスラストロック機構１は、従来から周知な構造で、固定リング２１と回転リング３１とを回転リング３１を上にして同軸上に具備した支持軸１１と、その支持軸１１を上下動可能に収容する案内筒Ｋと、その支持軸１１を閉栓方向に付勢する支持軸用の戻し弾機４１とを備え、前記固定リング２１は、上面に係合歯２１１を、回転リング３１は、下面に被係合歯３１１を有し固定リング２１上において支持軸１１から突設した鍔部１１１との間に回転可能に遊嵌合され、案内筒Ｋは、ガイド溝５１を介して上面に係止歯（鋸歯状）６１を備えていること、従来同様である。
【００１９】
このスラストロック機構１の前記戻し弾機４１は、前記鍔部１１１と案内筒Ｋの天部との間に介在され、常時その支持軸１１を下方、即ち閉栓方向に付勢しており、本発明では鋸歯状の係止歯６１に排水溝６１１を連通させてある。
【００２０】
操作部Ｂは、手動時に操作するための手動ボタン３と、通電時に駆動するソレノイド可動鉄心４と、固定鉄心５と、コイル６と、これらを収容するケース７と、手動ボタン３とソレノイド可動鉄心４を連結する連結軸８と、ソレノイド可動鉄心４をレリースワイヤＷに動力を伝達する十字部材９と、戻し補助弾機１０と、戻し補助弾機１０の付勢力によるソレノイド可動鉄心４等の飛び出しを阻止するストッパー部材１２と、これらの部材を収納するソレノイド操作ケース１３と、ソレノイド操作ケース１３を前記槽体２００に固定するための固定ケース１４とで構成されている。
【００２１】
前記するソレノイド操作ケース１３には、同ケース１３内の最下部に戻し補助弾機１０を挿入し、その戻し補助弾機１０上に十字部材９を配置し、更にその上部には、ソレノイド可動鉄心４、固定鉄心５、コイル６を収納したケース７、ストッパー部材１２の順に組立て、連結軸８をソレノイド可動鉄心４に取付けている。
また、このソレノイド操作ケース１３の下部に設けたネジ孔には、下方からレリースワイヤＷのインナーワイヤｗ１を通して、ケース固定ネジを捻じ込んでソレノイド操作ケース１３とレリースワイヤＷを組付けている。
一方、レリースワイヤＷの排水側端部は、前記スラストロック機構１の案内筒Ｋの底部に捻じ込み、手動ボタン３を連結軸８に取付けている。
【００２２】
また、図１に示すように手動ボタン３には、栓蓋２の開閉状態を検出するための磁石４００を同手動ボタン３の側面部または、下部に取付けると共にソレノイド操作ケース１３には、その磁石４００と反応して、排水栓制御装置（図示せず）に信号を送る部材５００を設け、栓蓋２開閉の誤動作を防ぐようになっている。
【００２３】
次に前述のように組立てられた排水装置の手動による遠隔操作及び各部材の動作について説明する。
図３（回転リング３１の係合歯３１１実線）の状態から手動ボタン３を押すと連結軸８とソレノイド可動鉄心４が十字部材９を押すことにより、インナーワイヤｗ１が排水部Ａ側へ移動し、栓蓋２を押し上げて栓を開く。このとき、排水部Ａ内のスラストロック機構１が作動して開栓状態を保持する。即ち、前記手動ボタン３の押動力でインナーワイヤｗ１を戻し弾機４１、戻し補助弾機１０の付勢力に抗して支持軸１１を押動することにより固定リング２１の係合歯２１１が回転リング３１の被係合歯３１１をガイド溝５１をガイドとして案内筒Ｋの内面に形成されている鋸歯状の係止歯６１上方まで押し上げる。そして押動力が無くなると前記戻し弾機４１の付勢力を受けて支持軸１１は、回転リング３１とともに下降を開始し、下降途中で被係合歯３１１が前記係止歯６１に係止し、開栓状態となる。再度手動ボタン３を押動すると、十字部材９がインナーワイヤｗ１を押し下げ、支持軸１１とともに固定リング２１ならびに回転リング３１を押し上げて回転リング３１の被係合歯３１１を固定リング２１の係合歯２１１に係合して回転リング３１を更に正方向に微小角度回動させる。そして押動力が無くなると前記戻し弾機４１の付勢力を受けて支持軸１１は回転リング３１とともに下降する。その途中で被係合歯３１１が係止歯６１における外端の鋸歯部分に係合して回転リング３１は正方向に更に回動し、その鋸歯部分の案内機能でガイド溝５１に案内されて回転リング３１が支持軸１１とともに降下し、閉栓状態となる。
【００２４】
また、電動による遠隔操作では、浴室、洗面所或いはそれ以外の場所に設けた操作パネル６００のスイッチ６０１を押すことにより、コイル６に通電され、ソレノイド可動鉄心４が固定鉄心５側に移動して十字部材９を押し下げ、手動による遠隔操作と同様の原理で排水部Ａを開く。また、スイッチで６０２、再度通電すると、ソレノイド可動鉄心４が十字部材９を押し下げると同時にスラストロック機構１が解除され、夫々の部材は、戻し弾機４１、戻し補助弾機１０の付勢力で元の状態に戻り閉栓する。通電動作は、手動時と同様であるため、手動による遠隔操作、電動による遠隔操作を交互に行なっても栓は支障なく開閉できる。
【００２５】
また、使用者に栓蓋２の位置を明確にできるように手動ボタン３に磁石４００とその磁石に反応する部材５００を設けている。開栓状態では手動ボタン３の上面は固定ケース１４とほぼ同一面上にあり、手動ボタン３に取付けた磁石４００は、操作ケース１３に設けた部材５００と距離があり離間しているために反応せずに信号も前記排水栓制御装置に送らず、操作パネル６００の閉栓状態のランプ６０３を点灯させる。手動ボタン３が手動遠隔操作、電動遠隔操作に関らず、栓蓋２を上昇させて開栓すると、所定の位置まで下がった手動ボタン３の磁石４００と部材５００とが反応して信号を同排水栓制御装置に送り、操作パネル６００の開栓状態を示すランプ６０４を点灯させる。これによって使用者に栓蓋２の位置を知らせ、誤操作を防ぐことができるし、給湯機などと連動する場合でも、排水栓制御装置が栓蓋２の位置を確認し、開栓状態では給湯しないように制御する安全策が採れるように制御される。
【００２６】
本発明では、前記のように案内筒Ｋ内面に形成される鋸歯状の係止歯６１に排水溝６１１を連通させてある。
【００２７】
この排水溝６１１は、図３に示すように鋸歯状の係止歯６１各々の傾斜下端部に案内筒Ｋ底までの高さで形成してあるが、途中までの高さでも良く、またその位置であるが、各係止歯６１の中途部に形成するも自由である。
そして、この排水溝６１１は、長期的使用で水が案内筒Ｋ内に進入してもその水を鋸歯状の係止歯６１に停滞させずに排水（落下）させて各係止歯６１に停滞する水の量を少なく抑制する働きがある。それによって開栓状態から閉栓状態への移行初期段階で回転リング３１に自由な回動可能な状態が生じようとも回転リング３１下面の被係合歯３１１と係止歯６１との間の表面張力現象の発生を防止して、回転リング３１の逆回動を阻止して、開栓状態から閉栓状態に移行しない空作動現象を防止する働きがある。
【００２８】
次に、第２、第３の実施の形態は、共に操作部Ｂの変形例を示し、排水部Ａを含むその他の構造は前記する実施の形態と同様であるため、具体的な説明は省略する。
【００２９】
第２の実施の形態は、図４（ａ）に示し、その操作部Ｂは、手動ボタン３と、手動ボタン３から下側に延びる延長軸３ａと、モータ１５と、モータ１５に連結されたモータ軸１５ａと、モータ軸１５ａに取付けられた歯車駆動部材１６と、これらを収容するモータ操作ケース１７と、そのモータ操作ケース１７を槽体２００に固定するための固定ケース１８とで構成されている。
モータ操作ケース１７内の最下部には、戻り補助弾機１０を挿入し、同弾機１０上に延長軸３ａを位置させ、モータ操作ケース１７の側面部の開口孔（図示せず）からモータ軸１５ａを内部に挿入し、その先端に歯車駆動部材１６を取付け固定している。
モータ１５は、防湿対策のため、防湿ケース（図示せず）を設け、ネジなどでモータ操作ケース１７に固定される。
【００３０】
次にこのように組立てられた第２の実施の形態の排水装置の手動による遠隔操作について説明する。
モータ軸１５ａに取付けられた歯車駆動部材１６の凹凸部は、延長軸３ａの凹凸部と噛み合わない位置に組立てられ、この位置を原点として動作するようになるので、手動ボタン３を押動すると、延長軸３ａがインナーワイヤｗ１を直接押し下げ、前記実施の形態と同様に栓蓋を上昇させて開栓し、再び手動ボタン３を押動すると、栓蓋２が下降して閉栓する。
【００３１】
また、電動による遠隔操作の場合には、前記実施の形態と同様に操作パネル６００のスイッチ６０１を押すと、モータ１５に通電され、モータ軸１５ａが回転して歯車駆動部材１６の凹凸部と延長軸３ａの凹凸部とが噛み合って延長軸３ａを押し下げ、それに伴ってインナーワイヤｗ１が支持軸１１を押し上げスラストロック機構１が作動し、モータ１５は回転を停止し、開栓状態を維持する。そして再びスイッチ６０２を押すと、歯車駆動部材１６の凹凸部が延長軸３ａの凹凸部と噛み合ってインナーワイヤｗ１を押し下げ、スラストロック機構１が解除されると同時に歯車駆動部材１６と延長軸３ａとが噛み合わなくなるため、戻し弾機４１、戻し補助弾機１０の付勢力で各々の部材が元の位置に戻り、閉栓する。また、モータ１５の回転が停止した開栓状態では、歯車駆動部材１６は戻し補助弾機１０の付勢力で元の上昇位置に復帰しているため、電気的操作後に手動ボタン３を操作した場合でも、開栓することができる。
【００３２】
次に図４（ｂ）に示す第３の実施の形態を説明する。
操作部Ｂは、側面部に切欠き３ｂ、３ｂを設けた手動ボタン３と、モータ１５と、モータ１５に直結されたクランク軸１９と、手動ボタン３とクランク軸１９の動力を受ける皿状部材２０と、これらを収納するモータ操作ケース２２と、モータ操作ケース２２を槽体２００に固定するための固定ケース２３などで構成されている。
モータ操作ケース２２内の最下部には、戻し補助弾機１０を配置し、その戻し補助弾機１０の上に皿状部材２０を置き、モータ操作ケース２２の側面には、クランク軸１９を通すための開口孔１９ａを設け、クランク軸１９を開口孔１９ａを通してモータ１５に直結させている。
また、モータ操作ケース２２は、前記する実施の形態と同様に槽体２００に取付けられた後、手動ボタン３を操作部Ｂに取付けている。
レリースワイヤＷのモータ操作ケース２２との接続、排水部Ａの接続も前記する実施の形態と同様の方法で行なわれる。
また、モータ１５は、クランク軸１９と直結した後、モータ操作ケース１７に取付けられるが、防湿対策や取付け方法は前記する実施の形態と同様である。
【００３３】
そして、このように組立てられた第３の実施の形態の排水装置の操作について簡単に説明すると、操作パネル６００のスイッチ６０１を押すと、モータ１５に通電され、クランク軸１９が回転して、皿状部材２０を押し下げ、前記と同様の原理で栓を開き、モータ１５は回転して停止する。手動ボタン３は皿状部材２０の下降とともに自重で下がる。再度スイッチ６０２を押すと、クランク軸１９が再度回転して、皿状部材２０を押し下げ、排水部Ａのスラストロック機構１を解除して、戻し弾機４１、戻し補助弾機１０の付勢力で各々の部材が元の位置に戻り、閉栓する。また、手動操作では、手動ボタン３を直接押すことによって皿状部材２０が押し下げられ、スラストロック機構１の機能で閉栓と、開栓とが交互に行なうことができる。
【００３４】
尚、前記第２、第３の実施の形態も、前記第１の実施の形態と同様に使用者に栓蓋の位置を明確にできるように手動ボタン３に磁石４００を設け、モータ操作ケース１７、２２にその磁石４００と反応して排水栓制御装置（図示せず）に信号を送る部材５００を設け、排水栓の誤動作を防ぐようになっている。
【００３５】
次に第４の実施の形態を説明すると、この実施の形態は、前記第１の実施の形態に加えて回転リング３１の被係合歯３１１を鋸歯状の係止歯６１に線接触する凸曲面（３１１ａ）形状に形成したものである。
【００３６】
このように回転リング３１の被係合歯３１１を凸曲面形状にすることによって、その被係合歯３１１と案内筒Ｋ内面の鋸歯状の係止歯６１との密着力が線接触で第１の実施の形態に比べて格段に弱くなり、回転リング３１の被係合歯３１１とその鋸歯状の係止歯６１との間で被係合歯（回転リング）３１１を逆回転方向に持上げる表面張力現象の発生を防止する上で、より好適なものになる。
【００３７】
更に第５の実施の形態は、前記第４の実施の形態に加えて回転リング３１の被係合歯３１１にその回転リング３１の被係合歯３１１に両端を開放した歯長さ方向及び／または歯幅方向に延びる溝３１１ｂを１本または複数本凹設した例を示している。
この実施の形態では、回転リング３１の被係合歯３１１が鋸歯状の係止歯６１に対する接触を線接触に止めた上、溝３１１ｂを設けたことから、開栓状態から閉栓状態への移行初期段階で回転リング３１に自由な回動可能な状態が生じてもその溝から空気が進入して、表面張力現象の発生をより防止する上で有効となる。
【００３８】
尚、実施の形態では図示しないが、前記第１の実施の形態に加えて回転リング３１の被係合歯３１１を鋸歯状の係止歯６１に点接触する形状、例えば球面形状に形成しても良いものであるし、そしてその被係合歯３１１に、歯長さ方向及び／または歯幅方向に前記溝を形成して、対処しても良いものである。
【００４１】
更に第６の実施の形態を説明すると、この実施の形態は、スラストロック機構が前記第１〜第５の実施の形態に対してコンパクト（小型）にタイプを示している（特開平１１−２９３７３４号公報参考）。
スラストロック機構１は、案内筒Ｋに上下動可能に案内される栓蓋２の支持軸１１と、その支持軸１１に回転可能に設けられ上下両面に被係合歯３１１、３１１を有する回転リング３１と、該支持軸１１を下方に付勢する支持軸の戻し弾機４１と、前記案内筒Ｋの天部に刻設された係合歯２１１と、同案内筒Ｋの内周面に形成された鋸歯状の係止歯６１とを備え、前記案内筒Ｋを、排水口金具１００に上方から抜差し可能に係止させてある。
【００４２】
回転リング３１は、支持軸に設けられた２個の鍔部１１２、１１２間に同軸をもって回転可能に挿嵌されており、前記係合歯２１１と係止歯６１に係合する被係合歯３１１、３１１を上下面に形成している。
この被係合歯３１１、３１１は、上側が係合歯用、下側が鋸歯状の係止歯用である。
係合歯２１１は、案内筒Ｋの天部に鋸歯状に直接刻設することによって形成されている。
係止歯６１は、案内筒Ｋの側壁に互いに９０度の間隔を空けて４個形成されており、この係止歯６１の上端は、鋸状歯部で構成してあること前記各実施の形態と同様である。
また、前記被係合歯３１１、３１１は、上側が前記係合歯２１１に係合し、下側が鋸歯状の係止歯６１に係合するようになっている。
前記する係合歯３１１と係止歯６１は、向い合うように対向配置されるようになっている。
また、前記係止歯２１１、２１１相互間は、回転リング３１における被係合歯３１１が嵌合してガイドされるガイド溝５１になっており、そのガイド溝５１の長さは、少なくと支持軸１１が栓蓋２を排水口金具１００に密着できるように下降できる長さにしてある。
そして、戻し弾機４１は、上側の鍔部１１２と前記天部との間に介在されている。
【００４３】
前記案内筒Ｋは、排水口金具１００から突設し先端に平面視Ｃ型状の係止部１０２ａを有するブラケット１０２のその係止孔１０２ｂに抜き差し可能に係止する環状係止凹部Ｋ１をその外周面中途部に周設してある。
また、案内筒Ｋの下端に螺合で接続されるレリースワイヤＷの他端側先端のプランジャーが前記手動ボタンを押動操作する度に支持軸１１下端に凹設された凹部（図示せず）底を押し上げて、栓蓋２が上昇して開栓するようになっている。
【００４４】
本実施の形態では、前記のように案内筒Ｋ内面に形成される鋸歯状の係止歯６１に排水溝６１１を連通させてある。
【００４５】
この排水溝６１１は、前記と同様に鋸歯状の係止歯６１各々の下端部に案内筒Ｋ底までの高さで形成してあるが、各係止歯６１…の中途部に形成するも自由である。
【００４６】
図８は、スラストロック機構の作動状態を示し、（実線参考）は、閉栓状態を示し、回転リング３１の被係合歯３１１が案内筒Ｋの前記ガイド溝５１でガイドされて下降状態にある。この状態から操作部の手動ボタンを戻し弾機４１の弾撥力に抗して押動操作すると、レリースワイヤ（詳細にはインナーワイヤ）で支持軸１１が押し上げられて、回転リング３１の上側の被係合歯３１１が鋸歯状の係合歯２１１に係合して回転される。そして、その押動力を停止すると、回転リング３１の下側の被係合歯３１１が係止歯６１に係合し回転され、開栓状態となる。再度操作部を押動操作すると、回転リング３１の上側の被係合歯３１１が前記鋸歯状の係合歯２１１において隣に位置する鋸状歯部に係合し回転される。そして、押動力を停止すると、回転リング３１の下側の被係合歯３１１が前記係止歯６１に係合して回転され且つ被係合歯３１１が前記ガイド溝５１でガイドされて下降し閉栓状態へと移行する。
【００４７】
そして、この排水溝６１１は、長期的使用で水が案内筒Ｋ内に進入してもその水を鋸歯状の係止歯６１に停滞させずに排水（落下）させて各係止歯６１…に停滞する水の量を少なく抑制し、開栓状態から閉栓状態への移行初期段階で回転リング３１に自由な回動可能な状態が生じようとも回転リング３１下面の被係合歯３１１と案内筒Ｋ内側の係止歯６１との間の表面張力現象の発生を防止して、回転リング３１の逆回動を阻止して、開栓状態から閉栓状態に移行しない空作動現象を防止する。
【００４８】
無論、この第６の実施の形態の下側の被係合歯３１１を第４の実施の形態と同様に凸曲面状や球面形状にしたり、第５の実施の形態と同様に下側の被係合歯３１１を溝付にすること自由である。
この場合の作用は、前記する各実施の形態と同様であるため、作用の説明は省略する。
【００４９】
また、操作筒内を摺動可能な手動ボタンにインナーワイヤを連結した単純な操作部を構成し、その手動ボタンを人為的に押すことによって開栓、閉栓がスラストロック機構を介して交互に行なわれる実施の形態も本発明は包含するものである。
【００５０】
【発明の効果】
本発明は以上のように、案内筒内面に形成した係止歯に排水溝を連通させて、排水溝の排水機能で係止歯と回転リングの被係合歯との間に表面張力現象に起因する回転リングの逆回動を防止し、空作動現象の発生を確実に防止する手動遠隔操作または電動遠隔操作、もしくはその両方による遠隔操作式の排水装置に使用するスラストロック機構である。
したがって、開栓状態から閉栓状態への移行が確実に行われるため、浴室や洗面室はもとより開栓・閉栓状態が目視で確認できない台所やダイニングルーム等で制御される場合でも、空作動現象により開栓状態にもかかわらず通電用スイッチの操作に連動する給湯手段等からの給水、給湯が行われて、家人が気付くまで多量の水や給湯機の燃料を無駄に消費することもなければ、リモートコントロールで家庭外部で湯張りをする場合のように、確認が遅れて給湯手段が異常加熱して火災の原因になることもなく、非常に安全であり、開栓状態を検出するセンサー手段を別途に付設して空作動現象による無駄な給水、給湯を未然に防止するように制御したり、回転リングを金属製にしたり、樹脂製の回転リングに金属製のスリーブを一体的にする方法に比べて構造簡単且つ廉価で対応できる。
その上、回転リングの被係合歯を、案内筒内面の係止歯、固定リングの係合歯に対して線接触もしくは点接触する形状に形成している場合には、開栓時の被係合歯の係止歯に対する密着力が非常に弱くなり、表面張力現象による回転リングの逆回動を防止する上でより有効である。
しかも、回転リングの被係合歯に両端を開放した溝を１本または平行状に複数本凹設しているものにあっては、開栓状態から閉栓状態への移行初期段階で回転リングに自由な回動可能な状態で生じても回転リングの被係合歯と案内筒内面の係止歯との間に被係合歯の溝から空気が進入して同被係合歯と係止歯との間の水を排水するから、仮に表面張力現象を発生する要因が存在しようとも表面張力現象を確実に回避する防護策となる。
【図面の簡単な説明】
【図１】第１の実施の形態のスラストロック機構を内蔵した排水栓の使用状態を示す縦断面図で一部切欠して示す。
【図２】要部の縦断面図。
【図３】スラストロック機構の作動状態を示す回転リングの被係合歯、固定リングの係合歯、案内筒内面の係止歯の展開図で一部切欠して示す。
【図４】第２、第３の実施の形態の操作部を示す縦断面図で、（ａ）は、第２の実施の形態を、（ｂ）は、第３の実施の形態を各々示す。
【図５】第４の実施の形態のスラストロック機構を示す回転リングの被係合歯、案内筒の係止歯との関係を示す展開図で、部分拡大して示す。
【図６】図５の（６）−（６）線拡大断面図で、第５の実施の形態を示す。
【図７】第６の実施の形態を示す排水栓の縦断面図。
【図８】同回転リングの被係合歯、係合歯、係止歯の展開図。
【図１】
0003548710.tif 000002
【図２】
0003548710.tif 000003
【図３】
0003548710.tif 000004
【図４】
0003548710.tif 000005
【図５】
0003548710.tif 000006
【図６】
0003548710.tif 000007
【図７】
0003548710.tif 000008
【図８】
0003548710.tif 000009